(57)【要約】      （修正有）【課題】キャリー・スーツケース用レインカバーと一体に該レインカバーの収納袋が構成されているキャリー・スーツケース用レインカバーを提供する。【解決手段】ポケットを有するキャリー・スーツケース用レインカバー１であって、該レインカバーを収納するように該キャリー・スーツケース２のポケット内側と外側とを反転させ、この際に、ポケットの内側からストラップ４を取出し、さらにリバーシブルオープンファスナを閉じることにより、ポシェット３の形態へ変形できるように構成する。【選択図】図５
0003187366.tif 000002
【実用新案登録請求の範囲】
【請求項１】
ポケットを有するキャリー・スーツケース用レインカバーであって、
上記ポケットの開口を開閉可能にするリバーシブルオープンファスナを備え、
該レインカバーを収納するように上記ポケットの内側と外側とを反転させ、さらに上記リバーシブルオープンファスナを閉じることにより、ポシェットの形態へ変形できるように構成されたキャリー・スーツケース用レインカバー。
【請求項２】
上記ポケットの内側に、変形後の上記ポシェットの持ち手として機能するストラップをさらに備えていることを特徴とする請求項１に記載のキャリー・スーツケース用レインカバー。
【請求項３】
該レインカバーに覆われているキャリー・スーツケースが傾けられたときに、該レインカバーの緩んだ裾が地面に触れて汚れてしまうことがないように、該レインカバーの裾が斜めに切り上げられていることを特徴とする請求項１または２に記載のキャリー・スーツケース用レインカバー。
【考案の詳細な説明】
【技術分野】
【０００１】
本考案は、ポシェット（小型の鞄）の形態へ変形できるように構成されたキャリー・スーツケース（トラベルケース）用レインカバーに関し、詳しくは、キャリー・スーツケース用レインカバーと該レインカバーの収納袋とが一体のものであって、ポシェットの形態へ変形できるように構成されたレインカバーに関する。
【背景技術】
【０００２】
鞄用レインカバーは、これまでにも幾つか提案されている（特許文献１参照）。そして、キャリー・スーツケースを使用する旅行などにおいて、雨に濡れることを防ぐためにキャリー・スーツケース用レインカバーを使用することがある。
【０００３】
しかし、レインカバーとこれを収納するための袋とが別個に形成されていると、ともすればレインカバーを収納するための袋を紛失して困ることが多かった。
【先行技術文献】
【特許文献】
【０００４】
【特許文献１】特開２００９−１７８４４５号公報
【考案の概要】
【考案が解決しようとする課題】
【０００５】
これまでのように、キャリー・スーツケース用レインカバーと、これを収納するための袋とが別個である場合には、収納袋を紛失し易いという問題があった。キャリー・スーツケース用レインカバーと一体に構成された収納袋があるとよい。
【課題を解決するための手段】
【０００６】
ポケットを有するキャリー・スーツケース用レインカバーであって、ポケットの開口を開閉可能にするリバーシブルオープンファスナを備え、該レインカバーを収納するようにポケットの内側と外側とを反転させ、さらにリバーシブルオープンファスナを閉じることにより、ポシェット（小型の鞄）の形態へ変形できるように構成されたキャリー・スーツケース用レインカバーを提供する。
【０００７】
また、ポケットの内側と外側とを反転させる際に、ポケットの内側に、変形後のポシェットの持ち手として機能するストラップを備えていることを特徴とする。加えて、このストラップの適切な位置に、ボタン、面ファスナ、バックルまたはホック等の係合手段が設けられていることが好ましい。これにより、ポシェットのストラップをキャリー・スーツケースの（伸び縮み式）キャリーバーに掛け回してから、例えばボタンを留めることでポシェットを繋ぎとめることができる。
【０００８】
さらには、該レインカバーに覆われているキャリー・スーツケースを傾けて曳いているときに該レインカバーの緩んだ裾が地面に触れて汚れてしまうことがないように、該レインカバーの裾が斜めに切り上げられていることを特徴とする。
【図面の簡単な説明】
【０００９】
【図１】レインカバーの斜視図。
【図２】図１とは別の角度から見たレインカバーの斜視図。
【図３】レインカバーに覆われた状態のキャリー・スーツケースを示す斜視図。
【図４】レインカバーに覆われた状態の（ａ）キャリー・スーツケースおよび（ｂ）これを傾けて曳いているときの様子を示す図。
【図５】レインカバーをポシェットの形態へ変形させる手順を示す図。
【図６】リバーシブルオープンファスナの一例を示す図。
【考案を実施するための形態】
【００１０】
本考案に係るレインカバー１について、添付の図を参照して以下に説明する。本考案のレインカバー１は、キャリー・スーツケース２に被せているときには、ポケット３を有するレインカバー１として使用することができるものである。
【００１１】
図１は、レインカバー１の斜視図である。本考案のレインカバー１は、蝶番（図示せず）などを介して接続された蓋側シェルおよび身側シェルからなる一般的なスーツケースに使用できるものである。図１において波線で示されている部位をゴム製にすれば、様々なスーツケースの寸法に合わせて使用することができる。
【００１２】
図２は、図１とは別の角度から見たレインカバー１の斜視図である。好ましい一実施例においては、レインカバー１のポケットの例えば下側半分だけが、該レインカバー１に一体に縫い合わせられているか或いは接着により取り付けられていて、該ポケットの内側と外側とを反転し易いようになっている。
【００１３】
図３は、キャリー・スーツケース２に覆われたレインカバー１を示している。キャリー・スーツケースの上面および側面に設けられている持ち手（ハンドル）をレインカバー１の外へ臨出させることができるように、持ち手の位置に対応するレインカバー１の位置に、一般的なファスナ（ジッパ）が設けられている。
【００１４】
図４に示されるように、レインカバー１に覆われたキャリー・スーツケース２を傾けて曳いているときにレインカバーの緩んだ裾が地面に触れて汚れてしまうことがないように、レインカバー１の裾が斜めに切り上げられているとよい。
【００１５】
図５は、本考案のレインカバー１をポシェット３の形態へ変形させる手順を示している。最初に、キャリー・スーツケース２からレインカバー１を取り外し、該レインカバー１のポケットの裏側に該レインカバー１を折り畳む。続いて、該レインカバー１を収納するように該レインカバー１のポケットの内側と外側とを反転させる。この際に、ポケットの内側からストラップを取り出す。さらにリバーシブルオープンファスナを閉じることにより、ポシェット３の形態へ変形させることができるように構成されている。
【００１６】
レインカバー１のポケットの開口を開閉可能にするファスナ（ジッパ）としては、図６に示されるように、ポケットの内側と外側とを反転させてポシェット３の形態へ変形させた後にも支障なく使用することができるリバーシブルオープンファスナを用いるとよい。
【００１７】
ストラップ４に、例えばボタン（係合手段）が設けられている場合、ポシェット３のストラップ４を、例えばキャリー・スーツケース２の（伸び縮み式）キャリーバーに掛け回してからボタンを留めることで、ポシェット３をキャリー・スーツケース２に繋ぎとめることができる。ストラップ４に設けられる係合手段としては、ボタンに限定されるものではなく、面ファスナ、バックル、ホック等から好適な係合手段を選択して使用すればよい。係合手段の数については、１つの係合手段が設けられる場合もあれば複数の係合手段が設けられる場合もある。レインカバーからどのような鞄へ変形されるかについても、ポシェットに限定されるものではなく、ショルダーバッグ等の他の種類の鞄へ変形される場合もある。
【００１８】
以上のように、本考案のレインカバーは、キャリー・スーツケース２から取り外した後、該レインカバーを収納するように該レインカバーのポケットの内側と外側とを反転させ、さらにリバーシブルオープンファスナを閉じることにより、ポシェット（小型の鞄）の形態へ変形できるように構成されているものである。
【００１９】
また、本考案のレインカバー１においては、ポケットの内側と外側とを反転させる際に、ポケットの内側からストラップ４（図５において点線で示されている）を取り出し、このストラップ４をポシェット３の持ち手として使用できるが、ストラップ４の形状や取り付け位置についても、どのような種類の鞄に変形されるかに依存して、図示されているストラップ４とは異なる場合があることに留意されたい。
【符号の説明】
【００２０】
１…（キャリー・スーツケース用）レインカバー
２…キャリー・スーツケース（トラベルケース）
３…ポシェット（小型の鞄）
４…ストラップ（ベルト）
【図１】
0003187366.tif 000003
【図２】
0003187366.tif 000004
【図３】
0003187366.tif 000005
【図４】
0003187366.tif 000006
【図５】
0003187366.tif 000007
【図６】
0003187366.tif 000008